(57)【要約】【課題】製氷筒の溶接箇所から亀裂が発生するのを防止することができる、オーガ式製氷機を提供する。【解決手段】オーガ式製氷機１は、製氷筒２と、製氷筒２の外壁に巻き付けられる冷却パイプ３と、製氷筒２の外壁に冷却パイプ３を固定する止め金１２とを備えている。製氷筒２の外壁には、固定刃８を固定するためのシールボルト孔９が形成されており、止め金１２は、製氷筒２の外壁におけるシールボルト孔９の鉛直下方に全周溶接される。【選択図】図３
2020026917.tif 000002
【特許請求の範囲】
【請求項１】
製氷筒と、
前記製氷筒の外壁に巻き付けられる冷却パイプと、
前記製氷筒の外壁に前記冷却パイプを固定する止め金と
を備えるオーガ式製氷機であって、
前記製氷筒の外壁には、固定刃を固定するためのボルト孔が形成されており、
前記止め金は、前記製氷筒の外壁における前記ボルト孔の鉛直下方に溶接される、オーガ式製氷機。
【請求項２】
前記止め金には、前記製氷筒の外壁との接触部分を減少させる切り欠き部が形成される、請求項１に記載のオーガ式製氷機。
【請求項３】
前記止め金は、前記冷却パイプを機械的に固定する、請求項１または２に記載のオーガ式製氷機。
【請求項４】
前記止め金は、前記製氷筒の外壁に全周溶接される、請求項１〜３のいずれか一項に記載のオーガ式製氷機。
【請求項５】
前記止め金は、前記製氷筒の外壁に点付け溶接される、請求項１〜３のいずれか一項に記載のオーガ式製氷機。
【発明の詳細な説明】
【技術分野】
【０００１】
この発明は、オーガ式製氷機に係り、特に製氷筒の外壁に冷却パイプが巻き付けられる構成のオーガ式製氷機に関する。
【背景技術】
【０００２】
オーガ式製氷機では、製氷筒の外壁に巻き付けられた冷却パイプ内を冷媒が流通すると共に、製氷筒の内部に製氷水が供給される。製氷筒内の製氷水は冷却パイプ内を流通する冷媒によって冷却され、製氷筒の内壁には氷膜が成長する。
【０００３】
製氷筒の内壁に形成された氷膜は、回転駆動されるオーガによって削り取られて上方に送られ、製氷筒の内壁と固定刃との間に形成された氷案内通路を通過する際に圧縮され、棒状の氷となって押し出される。特許文献１には、オーガ式製氷機の典型的な構成が記載されている。
【先行技術文献】
【特許文献】
【０００４】
【特許文献１】特開２０１５−０５２４０５号公報
【発明の概要】
【発明が解決しようとする課題】
【０００５】
オーガ式製氷機の製造において、製氷筒の外壁に冷却パイプを巻き付けて固定する際には、止め金を用いるのが一般的である。詳細には、平板状の止め金の一辺を製氷筒の外壁に溶接すると共に、止め金と冷却パイプをろう付けすることによって、製氷筒の外壁に冷却パイプを固定する。
【０００６】
しかしながら、製氷筒の外壁における溶接箇所は、溶接時の熱の影響を受けるため、その他の箇所に比べて材料強度が低下する。そのため、製氷筒の外壁の変形量が特に大きい箇所に止め金を溶接した場合、製氷運転時に溶接箇所から亀裂が発生するおそれがある。
【０００７】
この発明は、このような問題を解決するためになされたものであり、製氷筒の溶接箇所から亀裂が発生するのを防止することができる、オーガ式製氷機を提供することを目的とする。
【課題を解決するための手段】
【０００８】
上記の課題を解決するために、この発明に係るオーガ式製氷機は、製氷筒と、製氷筒の外壁に巻き付けられる冷却パイプと、製氷筒の外壁に冷却パイプを固定する止め金とを備えるオーガ式製氷機であって、製氷筒の外壁には、固定刃を固定するためのボルト孔が形成されており、止め金は、製氷筒の外壁におけるボルト孔の鉛直下方に溶接される。
【０００９】
止め金には、製氷筒の外壁との接触部分を減少させる切り欠き部が形成されてもよい。
【００１０】
止め金は、冷却パイプを機械的に固定してもよい。
【００１１】
止め金は、製氷筒の外壁に全周溶接されてもよい。
【００１２】
止め金は、製氷筒の外壁に点付け溶接されてもよい。
【発明の効果】
【００１３】
この発明に係るオーガ式製氷機では、製氷筒の溶接箇所から亀裂が発生するのを防止することができる。
【図面の簡単な説明】
【００１４】
【図１】実施の形態１に係るオーガ式製氷機の構成を示す断面図である。
【図２】図１のＩＩ−ＩＩ線に沿った断面図である。
【図３】実施の形態１に係るオーガ式製氷機における、止め金の取り付け位置を説明する図である。
【図４】実施の形態１に係るオーガ式製氷機における、止め金による冷却パイプの固定態様を説明する断面図である。
【図５】実施の形態１の変形例に係るオーガ式製氷機における、止め金の形状を説明する図である。
【図６】実施の形態１の変形例に係るオーガ式製氷機における、止め金による冷却パイプの固定態様を説明する断面図である。
【発明を実施するための形態】
【００１５】
以下、この発明の実施の形態について、添付図面に基づいて説明する。
実施の形態１．
図１、２は、この発明の実施の形態１に係るオーガ式製氷機１の構成を示す図である。
図１の断面図に示されるように、オーガ式製氷機１は、製氷筒２を備えている。製氷筒２の外壁には、図示しない冷凍回路から送り込まれる冷媒が流通する冷却パイプ３が巻き付けられている。また、製氷筒２の内部には、螺旋刃４を有するオーガ５が配置されている。オーガ５は、図示しないギヤドモータによって回転駆動される。
【００１６】
製氷筒２の内壁の上部には、固定刃８が設置されている。また、製氷筒２の上部には、外壁から内壁まで貫通するシールボルト孔９が形成されている。固定刃８は、シールボルト孔９に挿入されるシールボルト１０によって、製氷筒２の内壁に固定されている。
【００１７】
オーガ式製氷機１の製氷運転の際には、図示しない冷凍回路から送り込まれる冷媒が冷却パイプ３内を流通すると共に、製氷筒２の内部に製氷水が供給される。製氷筒２内の製氷水は冷却パイプ３内を流通する冷媒によって冷却され、製氷筒２の内壁には氷膜が成長する。
【００１８】
製氷筒２の内壁に形成された氷膜は、回転駆動されるオーガ５の螺旋刃４によって削り取られて上方に送られる。上方に送られた氷は、製氷筒２の内壁と固定刃８との間に形成された氷案内通路１１（図２参照）を通過する際に圧縮され、棒状の氷となって押し出される。
【００１９】
実施の形態１に係るオーガ式製氷機１の製造において、製氷筒２の外壁に冷却パイプ３を取り付ける際には、図３に示されるように、平板状の止め金１２を使用する。詳細には、図４に示されるように、製氷筒２の外壁に止め金１２の一片を全周溶接（符号１３）すると共に、止め金１２と冷却パイプ３とをろう付け（符号１４）する。
【００２０】
ただし、従来技術では、製氷筒２の外壁に止め金１２を溶接する箇所は特に規定されていなかったのに対して、本願発明では、止め金１２は、製氷筒２の外壁におけるシールボルト孔９の鉛直下方に溶接される（図３参照）。これは以下のような理由による。
【００２１】
先述したように、製氷筒２の外壁における溶接箇所は、溶接時の熱の影響を受けるため、その他の箇所に比べて材料強度が低下している。そのため、製氷筒２の外壁の変形量が特に大きい箇所に止め金１２を溶接した場合、製氷運転時に溶接箇所から亀裂が発生するおそれがあった。
【００２２】
また、製氷運転の際、製氷筒２には、固定刃８との間で氷案内通路１１を形成する箇所に最も力が加わる。そのため、製氷筒２の変形量は、氷案内通路１１を形成する箇所（例えば、図２のＡの箇所）が最も大きい、反対に、製氷筒２の変形量は、固定刃８を固定しているシールボルト１０の付近（例えば、図２のＢの箇所）が最も小さい。
【００２３】
上記の事項を考慮して、本願発明に係るオーガ式製氷機１においては、止め金１２は、製氷筒２の外壁におけるシールボルト孔９の鉛直下方に全周溶接される。すなわち、止め金１２は、製氷運転時における製氷筒２の変形量の最も小さい箇所に溶接される。
【００２４】
これにより、製氷筒２の外壁における溶接箇所の材料強度が低下していたとしても、その箇所は製氷運転時における変形量が最も小さい箇所であるため、溶接箇所から亀裂が発生する可能性は極めて低い。
【００２５】
以上説明したように、この発明の実施の形態１に係るオーガ式製氷機１では、製氷筒２の外壁に冷却パイプ３を固定する止め金１２は、製氷筒２の外壁におけるシールボルト孔９の鉛直下方に全周溶接される。これにより、製氷筒２の溶接箇所から亀裂が発生するのを防止することができる。
【００２６】
また、止め金１２を製氷筒２の外壁に全周溶接しているため、止め金１２と製氷筒２の外壁との接触部分に特定の応力集中部が存在することがない。これにより、製氷筒２の溶接箇所から亀裂が発生するのを確実に防止することができる。
【００２７】
また、溶接箇所から亀裂が発生しないように、製氷筒２の肉厚を増加させる等の対策をとる必要がないため、製氷効率が低下することもない。
【００２８】
その他の実施の形態．
実施の形態１では、止め金１２は製氷筒２の外壁に全周溶接されていた。これに代えて、止め金１２を製氷筒２の外壁に点付け溶接してもよい。点付け溶接を用いることによって、溶接箇所の柔軟性を確保することができる。そのため、溶接箇所は、あたかも止め金１２が取り付けられていないかのように柔軟に変形することができ、特定の応力集中部が存在することがない。これにより、製氷筒２の溶接箇所から亀裂が発生するのを確実に防止することができる。
【００２９】
また、実施の形態１では、止め金１２は平板形状であり、その一辺が製氷筒２の外壁に溶接されていた。これに代えて、図５に示されるように、切り欠き部２１３が形成された止め金２１２を用いてもよい。切り欠き部２１３によって、止め金２１２と製氷筒２の外壁との接触部分が減少することにより、溶接箇所を小さくして柔軟性を確保することができる。これにより、溶接箇所は、あたかも止め金２１２が取り付けられていないかのように、柔軟に変形することができる。
【００３０】
また、実施の形態１では、止め金１２と冷却パイプ３とをろう付けすることによって、冷却パイプ３を製氷筒２に固定していた。これに代えて、図６に示されるように、折り曲げられた止め金３１２を用いることによって、ろう等の接合手段を用いることなく、冷却パイプ３を機械的に固定してもよい。これにより、ろう付けの際の熱が冷却パイプ３に加わって材料劣化がおこることを防止することができる。
【符号の説明】
【００３１】
１  オーガ式製氷機、２  製氷筒、３  冷却パイプ、８  固定刃、９  シールボルト孔（ボルト孔）、１２，２１２，３１２  止め金、２１３  切り欠き部。
【図１】
2020026917.tif 000003
【図２】
2020026917.tif 000004
【図３】
2020026917.tif 000005
【図４】
2020026917.tif 000006
【図５】
2020026917.tif 000007
【図６】
2020026917.tif 000008